(57)【要約】【課題】原色のみならずユーザが指定した任意色ごとの彩度調整を視覚的、直感的、かつ自動的に容易に行えるようにする。【解決手段】入力された画像データに従って画像を印刷するプリンタの出力画像の彩度を調整する彩度調整装置において、前記彩度の特性を表す彩度特性を色相環上にグラフとして表示するプリンタドライバと、このプリンタドライバにより表示された前記彩度特性に対して所望の特性を得られる彩度位置を原色ごと及び原色間の任意の色相ごとに指定する彩度調整ウィンドウ６０と、この彩度調整ウィンドウ６０から指定された彩度位置に基づいて彩度特性を変更するプリンタドライバとを備えた。【選択図】図７
2006157162.tif 000002
【特許請求の範囲】
【請求項１】
入力された画像データに従って画像を印刷するプリンタの出力画像の彩度を調整する彩度調整装置において、
前記彩度の特性を表す彩度特性を色相環上にグラフとして表示する手段と、
該表示する手段により表示された前記彩度特性に対して所望の特性を得られる彩度位置を原色ごと及び原色間の任意の色相ごとに指定する手段と、
該指定する手段により指定された前記彩度位置に基づいて前記彩度特性を変更する手段と、
を備えていることを特徴とする彩度調整装置。
【請求項２】
前記彩度特性を変更する手段は彩度を指示するパラメータを変更し、前記プリンタは前記彩度特性を変更する手段によって変更された前記パラメータを参照して彩度を変更することを特徴とする請求項１記載の彩度調整装置。
【請求項３】
前記表示する手段は、前記指定する手段による彩度調整の取り消しを設定するリセット表示部をさらに備えていることを特徴とする請求項１または２記載の彩度調整装置。
【請求項４】
前記彩度特性を変更する手段はプリンタドライバに設定されていることを特徴とする請求項１ないし３のいずれか１項に記載の彩度調整装置。
【請求項５】
請求項１ないし４のいずれか１項に記載の彩度調整装置を備えていることを特徴とする画像形成装置。
【請求項６】
画像データに従って画像を印刷するプリンタの出力画像の彩度を調整する彩度調整方法において、
前記彩度の特性をあらわす彩度特性グラフをコンピュータの表示画面上に表示し、
前記表示画面上に表示された前記彩度特性に対して所望の特性が得られる彩度位置を指定し、
前記指定された前記彩度位置に基づいて前記彩度特性を変更し、
変更された前記彩度特性を参照して前記彩度を調整することを特徴とする彩度調整方法。
【請求項７】
前記彩度特性の変更はプリンタドライバによって実行されることを特徴とする請求項６記載の濃度調整方法。
【請求項８】
請求項６記載の色相調整方法をコンピュータで実行するための手順が含まれていることを特徴とするコンピュータプログラム。
【請求項９】
コンピュータにロードされ、入力された画像データに従って画像を印刷するプリンタの出力画像の彩度を調整するコンピュータプログラムにおいて、
ＲＧＢ画像データの入力があった時に、前記ＲＧＢ画像データをＹＣｂＣｒ画像データに変換する第１の手順と、
変換されたＹＣｂＣｒ画像データのＣｂＣｒ画像データの彩度特性をグラフとして表示する第２の手順と、
前記表示された彩度特性のグラフに対して所望の特性を得られる彩度位置が指定された時、前記指定された彩度位置に基づいて前記ＹＣｂＣｒ画像データの前記ＣｂＣｒデータを変更する第３の手順と、
前記変更されたＣｂＣｒデータに基づいてＹＣｂＣｒ画像データをＲＧＢ画像データに変換する第４の手順と、
を含んでいることを特徴とするコンピュータプログラム。
【請求項１０】
請求項８または９に係るコンピュータプログラムがコンピュータによって読み取られ、実行可能に記録されていることを特徴とする記録媒体。
【発明の詳細な説明】
【技術分野】
【０００１】
この発明は、カラープリンタのプリンタドライバ内で行われる出力画像に対するカラー調整機能のうち彩度調整を行う彩度調整装置、この彩度調整装置を備えたプリンタ、ファクシミリなどの画像形成装置、彩度調整方法、彩度調整をコンピュータで行うためのコンピュータプログラム、及びこのコンピュータプログラムを格納した記録媒体に関する。
【背景技術】
【０００２】
従来からカラープリンタで行われる画像調整の彩度調整機能に関しては、例えば特許文献１−３に示すような発明が公知である。特許文献１には、画像ごとに異なる鮮やかさに応じて自動的に彩度の変換を行うため、画像をドットマトリクス状の画素に分解して各画素の情報を表す画像データに対して所定の画像処理を行う画像処理装置であって、上記画像データにおける各画素の彩度の分布を集計する彩度分布集計手段と、この彩度分布集計手段にて集計された彩度の分布状況から画像データの彩度を変換する程度を判定する彩度変換度判定手段と、判定された変換の程度に基づいて画像データにおける彩度を表す情報を修正して新たな画像データに変換する画像データ変換手段とを具備することが開示されている。
【０００３】
また、特許文献２には、高速かつ高精度に、画像の色かぶり・コントライス・彩度などを補正するための明度および色差変換量を設定するため、階調画像データを空間周波数成分に変換した周波数データの低周波成分に基づき、前記階調画像データの明度・色差情報を取得する取得手段と、取得される明度・色差情報に基づき、前記階調画像データの明度・色差変換量を設定する設定手段とを備えた画像処理装置が開示されている。
【０００４】
更に、特許文献３には、彩度調整を色相ごとに行うため、入力された画像信号の色空間から色相を判定する色相判定部と、画像信号の彩度データを算出する機能を有する画像処理装置において、色相ごとに彩度変化量を調整できる手段を有することを特徴とする画像処理装置が開示されている。
【特許文献１】特開２００３−５０９９７公報
【特許文献２】特開２００３−２５００５６公報
【特許文献３】特開２００３−２７４２１０公報
【発明の開示】
【発明が解決しようとする課題】
【０００５】
前記特許文献１ないし３に開示された発明における彩度調整機能について共通していることは、画像データを明度成分と彩度成分に分離し、その彩度成分に対してデータに応じたパラメータを乗じることにより、画像の彩度調整を行うということである。このような調整方法は、画像の彩度を調整する機能を実現できることで有意義であることに違いないが、ユーザが要望する機能を完全に実現しているとは言いがたい。例えば、ユーザが赤色だけ鮮やかにしたい場合などの色ごとに彩度調整を行いたい場合、全体しか調整できないこれらの機能では、所望の結果を得ることできないことは容易に推測できる。
【０００６】
また、特許文献３では画像全体ではなく色相ごとに彩度調整を行う方法が提案されている。しかし、そのこの方法は赤、黄、緑、シアン、青、マゼンタの原色６色に対する係数をあらかじめ設定しておき、その係数を使用して上記６色の色相ごとの彩度調整を行うというものであり、係数が固定されてしまっていることからユーザの所望する細かな微調整には応えられない面がある。また、たとえ係数をユーザが任意に変更できるとしても、その設定方法はユーザが手軽に設定できるとは言い難く、専門的な知識を必要とする。さらには、個別に彩度を調整できる色相が上記６色のみであり、任意の色相の彩度を調整したい場合には対応できない
この発明は、このような従来技術の実情に顧みてなされたもので、その目的は原色のみならずユーザが指定した任意色ごとの彩度調整を視覚的、直感的、かつ自動的に容易に行えるようにすることにある。
【課題を解決するための手段】
【０００７】
前記目的を達成するため、第１の手段は、入力された画像データに従って画像を印刷するプリンタの出力画像の彩度を調整する彩度調整装置において、前記彩度の特性を表す彩度特性を色相環上にグラフとして表示する手段と、該表示する手段により表示された前記彩度特性に対して所望の特性を得られる彩度位置を原色ごと及び原色間の任意の色相ごとに指定する手段と、該指定する手段により指定された前記彩度位置に基づいて前記彩度特性を変更する手段とを備えていることを特徴とする。
【０００８】
第２の手段は、第１の手段において、前記彩度特性を変更する手段は彩度を指示するパラメータを変更し、前記プリンタは前記彩度特性を変更する手段によって変更された前記パラメータを参照して彩度を変更することを特徴とする。
【０００９】
第３の手段は、第１または第２の手段において、前記表示する手段が、前記指定する手段による彩度調整の取り消しを設定するリセット表示部をさらに備えていることを特徴とする。
【００１０】
第４の手段は、第１ないし第３のいずれかの手段において、前記彩度特性を変更する手段がプリンタドライバに設定されていることを特徴とする。
【００１１】
第５の手段は、第１ないし第４のいずれかの手段に係る彩度調整装置を画像形成装置が備えていることを特徴とする。
【００１２】
第６の手段は、画像データに従って画像を印刷するプリンタの出力画像の彩度を調整する彩度調整方法において、前記彩度の特性をあらわす彩度特性グラフをコンピュータの表示画面上に表示し、前記表示画面上に表示された前記彩度特性に対して所望の特性が得られる彩度位置を指定し、前記指定された前記彩度位置に基づいて前記彩度特性を変更し、変更された前記彩度特性を参照して前記彩度を調整することを特徴とする。
【００１３】
第７の手段は、第６の手段において、前記彩度特性の変更はプリンタドライバによって実行されることを特徴とする。
【００１４】
第８の手段は、第６の手段に係る色相調整方法をコンピュータで実行するための手順がコンピュータプログラムに含まれていることを特徴とする。
【００１５】
第９の手段は、コンピュータにロードされ、入力された画像データに従って画像を印刷するプリンタの出力画像の彩度を調整するコンピュータプログラムにおいて、ＲＧＢ画像データの入力があった時に、前記ＲＧＢ画像データをＹＣｂＣｒ画像データに変換する第１の手順と、変換されたＹＣｂＣｒ画像データのＣｂＣｒ画像データの彩度特性をグラフとして表示する第２の手順と、前記表示された彩度特性のグラフに対して所望の特性を得られる彩度位置が指定された時、前記指定された彩度位置に基づいて前記ＹＣｂＣｒ画像データの前記ＣｂＣｒデータを変更する第３の手順と、前記変更されたＣｂＣｒデータに基づいてＹＣｂＣｒ画像データをＲＧＢ画像データに変換する第４の手順とを含んでいることを特徴とする。
【００１６】
第１０の手段は、第８または第９の手段に係るコンピュータプログラムがコンピュータによって読み取られ、実行可能に記録媒体に記録されていることを特徴とする。
【００１７】
なお、以下の実施形態において、彩度特性を色相環上にグラフとして表示する手段はプリンタドライバ２０とステップＳ２１，２２に、前記表示する手段により表示された彩度特性に対して所望の特性を得られる彩度位置を色ごと及び原色間の任意の色相ごとに指定する手段はＰＣの表示画面に表示されるドライバＵＩ（ユーザインターフェース）あるいは彩度調整ウィンドウ６０に、前記指定する手段により指定された彩度位置に基づいて前記彩度特性を変更する手段はプリンタドライバ２０及びステップＳ２４−Ｓ２６にそれぞれ対応し、リセット表示部はリセットボタン６３に、表示する手段は彩度調整ウィンドウ６０に、第１の手順はステップＳ２１に、第２の手順はステップＳ２２に、第３の手順はステップＳ２４及びステップＳ２５に、第４の手順はステップＳ２６にそれぞれ対応する。
【発明の効果】
【００１８】
本発明によれば、表示する手段により表示された彩度特性に対して所望の特性を得られる彩度位置を原色ごと及び原色間の任意の色相ごとに指定し、指定された彩度位置に基づいて彩度特性を変更するので、原色のみならずユーザが指定した任意色ごとの彩度調整を視覚的、直感的、かつ自動的に容易に行うことができる。
【発明を実施するための最良の形態】
【００１９】
以下、本発明を実施するため最良の形態について説明する。  
図１はカラープリンタにおける一般的なカラープリントシステムとカラープリントの流れを示すブロック図である。図１において、カラープリントシステムはパーソナルコンピュータＰＣとカラープリンタＰＲとから構成され、パーソナルコンピュータＰＣ側には、印刷を実行させるアプリケーション１０、アプリケーション１０から転送されるデータをプリンタエンジンが理解できる言語に翻訳し、プリント可能にするプリンタドライバ２０が設けられ、カラープリンタＰＲ側には、プリンタドライバ２０から転送されるデータに対して画像処理を施すプリンタコントローラ３０、及びプリンタコントローラ３０からプリントデータを受けて記録媒体に可視画像を形成するプリンタエンジン４０が設けられている。
【００２０】
このように構成すると、ある画像に対してＰＣ側の操作によりアプリケーション１０から印刷が実行されると、画像のＲＧＢデータがアプリケーション１０からプリンタドライバ２０に渡される。プリンタドライバ２０ではＲＧＢ画像データ１１に対して、明度・彩度調整や色相調整といったドライバＵＩ（ユーザインターフェース）上でユーザにより指定される調整機能２１を施し、さらに必要に応じてカラーマッチング処理２２を行う。
【００２１】
プリンタドライバ２０で調整及びカラーマッチング処理されたＲＧＢデータは、プリンタドライバ２０から有線もしくは無線で接続されたカラープリンタＰＲに転送される。カラープリンタＰＲに内蔵されるプリンタコントローラ３０は、転送されてきたＲＧＢデータを受け取り、ＢＧ／ＵＣＲ（Black Generation/Under Color Removal）やＧＣＲ（Gray Component Replacement）３１といった既知の技術により、印刷の色空間であるＣＭＹＫデータに変換する。
【００２２】
ＣＭＹＫデータは、カラーバランスを調整するγ（ガンマ）変換処理３２が行われた後、多値で階調を表現できないプリンタエンジン４０で階調を表現するために、既知の技術であるディザ法や誤差拡散法を使用した階調変換３３が行われる。その後、階調変換されたＣＭＹＫデータ４１がプリンタエンジン４０に送られ、プリンタエンジン４０では、プリンタコントローラ３０から送られてきたＣＭＹＫ画像データ４１に基づいて印刷を実行する。この場合、プリンタエンジン４０としては、電子写真方式やインクジェット方式などの公知の印刷機能を有するエンジンであれば良い。
【００２３】
前述の一般的なカラープリントの流れに従って、本実施形態における彩度調整もアプリケーション１０からプリンタドライバ２０に渡されるＲＧＢ画像データ１１に対して実施し、その処理に関してはプリンタドライバ２０がインストールされたコンピュータＰＣ上で行われる。本実施形態において、彩度調整については、プリンタドライバ２０上でユーザが彩度調整を行いたい色を設定し、指定されたそれらの色について個別に彩度調整を行う。
【００２４】
図２は、本実施形態における彩度調整の処理手順を示すフローチャートである。この処理手順では、まず、ステップＳ２１でプリンタドライバ２０にアプリケーション１０から渡された入力ＲＧＢ画像データを図３に示す変換マトリクステーブルを用いてＹＣｂＣｒデータに変換する（Ｙ：明度成分、Ｃｂ，  Ｃｒ：彩度成分）。このようにＲＧＢデータからＹＣｂＣｒデータに変換することにより、色空間を図５に示すような明度、彩度、色相という３種類のパラメータとして捉えることが可能となる。また、ＹＣｂＣｒデータのＣｂ−Ｃｒの関係をプロットすることで得られる図６に示す色相環では、色は無彩色である色相環の中心を原点として円状に分布しており、中心から離れるほど高彩度の色を表している。各色は、３６０度の色相環のある角度に必ず分布することとなり、色相環の中心と各色の最高彩度点を結ぶ線の角度を色相と呼んでいる。図６には一般的に原色と呼ばれる６色Ｒ（赤）、Ｇ（緑）、Ｂ（青）、Ｃ（シアン）、Ｍ（マゼンタ）、Ｙ（黄）の色相のイメージを合わせて示しておく。
【００２５】
続いて、ステップＳ２２で、変換されたＹＣｂＣｒデータのＣｂ、Ｃｒ値から
Ｈ＝ｔａｎ−１（Ｃｂ／Ｃｒ）
で示す変換式を使用して色相Ｈを算出し、色相ごとに画像データを分類しておく。また、同じくＣｂ、Ｃｒ値から
Ｃ＝√（Ｃｂ２＋Ｃｒ２）
で示す変換式を使用して彩度Ｃを算出し、同じく画像データを分類しておく。
【００２６】
なお、ユーザの指定する原色及び任意色の彩度を個別に調整するにあたっては、以下の２点が問題となると考えられる。  
１つ目は無彩色近辺の色づきの問題であり、２つ目は原色及び任意色の彩度調整を個別に行うことによる周辺の色に対する連続性をどう保つかということである。これらの問題を解消するには何らかの調整を行う必要があり、本実施形態ではこの調整方法として、ＹＣｂＣｒ空間での補間演算を行うことによって、色づきを回避し、または連続性を保つようにしている。この補間演算について、以下に説明する。
【００２７】
まず、無彩色である色相環の中心付近の色については、彩度が上がると色づきが目立ってしまうことから、彩度調整の影響をほとんど受けないほうが望ましい。従って、たとえばある色の彩度を１．５倍上げるように調整を行った場合でも、無彩色近辺の色に関してはほとんど変わらず、限りなく１倍に近くなるような、補間演算を以下のように行うこととする。すなわち、彩度を調整する任意色の最大彩度をＣ１００％、彩度調整倍率をｘ、任意色と同色相内のある色の彩度をＣとすると、彩度調整後の任意色の倍率ｘ’は、
ｘ’＝１＋｛（ｘ−１）＊（Ｃ／Ｃ１００％）｝
のようにして求める。そして、任意色と同色相内のある色の調整後の彩度をＣ’とすると、Ｃ’は上記ｘ’を使用して、
Ｃ’＝ｘ’＊Ｃ
のようにして求めることができる（ステップＳ２２）。
【００２８】
また、任意色の周辺の色に対する連続性を保つための補間については以下の補間式を使用する。  
前記連続性を保つために、本実施形態における彩度調整は、隣接する原色と調整を指定した任意色の色相および倍率を使用する。すなわち、調整を指定した任意色（ステップＳ２３）の色相をＨ、調整を指定した任意色に隣接する原色の色相をそれぞれＨ隣接原色１、Ｈ隣接原色２、原色の彩度調整倍率をそれぞれｘ隣接原色１、ｘ隣接原色２、原色と任意色の中間にある色の色相をＨ”、中間にある色の最大彩度をＣ”１００％、中間にある色の彩度をＣ”とすると、中間にある色の細大彩度Ｃ”１００％の彩度調整倍率ｘ”１００％、中間にある色の調整倍率ｘ”調整後、中間にある色の調整後の彩度Ｃ”調整後は以下の式により求めることができる（ステップＳ２４）。
【００２９】
（１）隣接原色１と調整を指定された任意色の色相Ｈの間にある色に対する補間式
ｘ”１００％＝ｘ隣接原色１＋｛（Ｈ隣接原色１−Ｈ”）／（Ｈ隣接原色１−Ｈ）｝＊（ｘ−ｘ隣接原色１）
ｘ”調整後  ＝１＋｛（ｘ”１００％−１）＊（Ｃ”／Ｃ”１００％）｝
Ｃ”調整後＝Ｃ”＊ｘ”調整後
（２）隣接原色２と調整を指定された任意色の色相Ｈの間にある色に対する補間式
ｘ”１００％＝ｘ隣接原色２＋｛（Ｈ”−Ｈ隣接原色２）／（Ｈ−Ｈ隣接原色２）｝＊（ｘ隣接原色２−ｘ）
ｘ”調整後＝１＋｛（ｘ”１００％−１）＊（Ｃ”／Ｃ”１００％）｝
Ｃ”調整後＝Ｃ”＊ｘ”調整後
続いて、上記の手順で算出された任意色に対する倍率ｘ”調整後を使用して、もともとのデータＣｂＣｒ値を、
Ｃ”ｂ調整後＝Ｃｂ＊ｘ”調整後
Ｃ”ｒ調整後＝Ｃｒ＊ｘ”調整後
のように変更する（ステップＳ２５）。ここで、Ｃｂ、Ｃｒは彩度調整前のデータ、Ｃ”ｂ調整後、Ｃ”ｒ調整後は彩度調整後のデータをあらわす。
【００３０】
最後に、算出後のＣ”ｂ調整後、Ｃ”ｒ調整後値と変更していないＹ値から、図４に示す変換マトリクステーブルを用いてＲＧＢ値に変更する（ステップＳ２６）。
【００３１】
このＲＧＢデータが、前述のように必要に応じてカラーマッチング処理が行われた後、プリンタＰＲに転送されてプリントが実行されることとなる。
【００３２】
前述の補間演算式を使用して彩度調整を行う（ステップＳ２５）ことにより、無彩色近辺の色は彩度調整の影響をほとんど受けず色かぶりを抑えることができるとともに、原色周辺の色の連続性を保つことができる。さらに前記演算は自動的に行うことが可能であり、ユーザにとっては簡単かつ高精度に原色ごとの彩度調整を行うことができる。
【００３３】
ユーザが調整したい色を指定して、その色の彩度調整を実際に行う場合には、ユーザは個別に彩度調整を行いたい原色及び原色間の任意色に対して、倍率を指定することにより彩度調整の指定を行う（ステップＳ２３）。原色の彩度調整を行う場合には、この実施形態では、プリント処理を実行した際のプロパティ画面上に表示させる彩度調整ウィンドウ６０上に彩度特性を表示させておき、
ａ）彩度調整の倍率を入力するボックスに調整倍率を数値で入力する方式
ｂ）調整を行う原色をマウスにより指定し、マウスのドラッグ作業により彩度特性グラフを変更する方式
の２つの方式が設定されている。また、原色間の任意色の彩度調整を行う場合には、任意色をマウスにより指定し、マウスのドラッグ作業により彩度特性グラフを変更するようにする。なお、前記マウスによる彩度特性グラフの変更と彩度調整倍率の数値は相互にデータが反映され、マウスによる彩度特性グラフの変更がなされると数値も変更され、数値が変更されると彩度特性グラフも動く。
【００３４】
図７は彩度調整ウィンドウ６０の表示状態を示す図であり、原色６色Ｒ（赤）、Ｇ（緑）、Ｂ（青）、Ｃ（シアン）、Ｍ（マゼンタ）、Ｙ（黄）で６色を定義し、原色を使用してＹＣｂＣｒ空間での補間を行うことによって連続性を保つ。図８に原色の合計６色のＲＧＢ値及びＹＣｂＣｒ値と色相Ｈをまとめて示す。このウインドウは、ＲＧＢとＹＭＣの６軸からなる特性図で、中央部の正６角形が調整前の特性５０を示し、その外側の変形した６角形が調整時もしくは調整後の彩度特性５１を示す。原色の彩度調整において調整倍率を直接入力する場合は、変更したい色の倍率を図７に示す「調整倍率ボックス」６１Ｒ，６１Ｍ，６１Ｂ，６１Ｃ，６１Ｇ，６１Ｙのボックスにキーボードから数値を入力する。また、原色及び原色間の任意色の彩度調整において調整倍率をマウスのドラッグ作業による行う場合は、調整したい色を図７に示す彩度特性グラフ５１上でマウスポインタ５２により選択し、マウスのドラッグ作業を行うことで倍率を視覚的に決定する（ステップＳ２３）。調整は、前記調整値の入力あるいはマウスのドラッグにより行われるが、設定ボタン６２をマウスによりクリックし、あるいはキーボードからエンターで入力することにより確定する。
【００３５】
このような操作により、選択された色の倍率からコンピュータＰＣが彩度値を自動的に算出し、図７に示すように彩度特性グラフ上に変更後の特性５１が自動的に表示される（実線）。また、調整後の彩度特性５１をグラフ上に表示したように、変換前の彩度特性５０に関しても表示させる（点線）。
【００３６】
更に、図７に示す彩度調整ウィンドウ６０には、前記設定ボタン６２に加え、ユーザが行った彩度調整を無効とするためのリセットボタン６３を設ける。これにより、これまで操作した調整値はすべて０リセットすることができる。
【００３７】
なお、プリンタドライバ２０として設定されるプログラムのプログラムデータは、図示しないネットワークに接続されたサーバから、あるいはＰＣに備えられているもしくは接続された記録媒体駆動装置にプログラムデータを格納したＣＤ−ＲＯＭ、ＳＤカードなどの公知の記録媒体をロードして読み出し、ＰＣにダウンロードし、あるいはバージョンアップすることができる。
【００３８】
以上のように本実施形態によれば、彩度特性を色相環上にグラフとして表示する手段（彩度調整ウィンドウ６０）と、表示された彩度特性５０に対して所望の特性を得られる彩度位置を色相ごとに指定する手段（マウスポインタ、倍率調整ボックス６１）と、指定された彩度位置に基づいて前記彩度特性を変更する手段（プリンタドライバ２０）とを備えているので、従来画像全体に対してしかできなかった彩度調整が色相ごとに行うことができる。
【００３９】
また、従来色相ごとの彩度調整が可能でも柔軟性がかけていた彩度調整が、マウスポインタによる指定、あるいは倍率調整ボックスへの入力により容易に行うことが可能となる。
【００４０】
彩度特性を変更する手段（プリンタドライバ２０）は、彩度を指示するパラメータを変更し、プリンタＰＲは前記パラメータを参照して彩度を変更するので、簡単な構成で調整の多様性に対応できる彩度調整を実行することができる。
【００４１】
彩度特性を色相環上にグラフとして表示する手段（彩度調整ウィンドウ６０）に前記指定手段による彩度調整の取り消しを設定するリセット表示部６３を設けたので、彩度変更前後でデフォルトとの比較が容易に行える。
【００４２】
さらに、彩度特性を変更する手段は、コンピュータにインストールされるプリンタドライバ２０に設定されるので、プリンタドライバ２０をコンピュータＰＣにインストールするだけで、前記各効果を容易に得ることができる。
【図面の簡単な説明】
【００４３】
【図１】カラープリンタにおける一般的なカラープリントシステムとカラープリントの流れを示すブロック図である。
【図２】本実施例における色相調整の処理手順を示すフローチャートである。
【図３】ＲＧＢデータをＹＣｂＣｒデータに変換する変換マトリクステーブルを示す図である。
【図４】Ｃｂ’Ｃｒ’値と変更していないＹ値からＲＧＢ値に変更する変換マトリクステーブルを示す図である。
【図５】色空間を明度、彩度、色相という３種類のパラメータで立体的に示した図である。
【図６】ＹＣｂＣｒデータのＣｂ−Ｃｒの関係をプロットすることで得られる色相環を示す図である。
【図７】原色６色Ｒ（赤）、Ｇ（緑）、Ｂ（青）、Ｃ（シアン）、Ｍ（マゼンタ）、Ｙ（黄）で６色を定義し、原色を使用したＹＣｂＣｒ空間の色相環を示す図である。
【図８】原色の合計６色のＲＧＢ値及びＹＣｂＣｒ値と色相Ｈを表形式でまとめて示す図である。
【符号の説明】
【００４４】
１０  アプリケーション
１１  ＲＧＢ調整データ
２０  プリンタドライバ
３０  プリンタコントローラ
４０  プリンタエンジン
４１  ＣＭＹＫ画像データ
５０  調整方法選択ウィンドウ
５１  チェックボックス
５２  「色相調整詳細ウィンドウ」ボタン
６０  彩度調整ウインドウ
６１Ｒ，Ｇ，Ｂ、６１Ｙ，Ｍ，Ｃ  調整倍率ボックス
６２  設定ボタン
６３  リセットボタン
ＰＣ  パーソナルコンピュータ
ＰＲ  カラープリンタ
【図１】
2006157162.tif 000003
【図２】
2006157162.tif 000004
【図３】
2006157162.tif 000005
【図４】
2006157162.tif 000006
【図５】
2006157162.tif 000007
【図６】
2006157162.tif 000008
【図７】
2006157162.tif 000009
【図８】
2006157162.tif 000010